(57)【要約】      （修正有）【課題】内周側に堆積した雪等の堆積物を容易に排除できるフード、交換レンズ、光学機器を提供する。【解決手段】光学系を有する光学部材に用いられるフードであって、光学系の光軸Ｏまわりに設けられ、光学系に対する不要光を遮る遮光壁部２と、遮光壁部２を貫通する開口部２ｆと、遮光壁部２に対して回転可能に取り付けられ、開口部２ｆを塞ぐ遮光位置と、開口部２ｆを開口させる開口位置との間で回転可能な可動部３とを備えるフード１。【選択図】図５
2007328041.tif 000002
【特許請求の範囲】
【請求項１】
光学系を有する光学部材に用いられるフードであって、
前記光学系の光軸まわりに設けられ、前記光学系に対する不要光を遮る遮光壁部と、
前記遮光壁部を貫通する開口部と、
前記遮光壁部に対して回転可能に取り付けられ、前記開口部を塞ぐ遮光位置と、前記開口部を開口させる開口位置との間で回転可能な可動部と、
を備えること、
を特徴とするフード。
【請求項２】
請求項１に記載のフードにおいて、
前記開口部は、使用状態において、前記遮光壁部の下方に配置可能であること、
を特徴とするフード。
【請求項３】
請求項１又は請求項２に記載のフードにおいて、
前記可動部が回転する回転中心は、光軸に対して平行であること、
を特徴とするフード。
【請求項４】
請求項１から請求項３までのいずれか１項に記載のフードにおいて、
前記可動部を前記遮光位置に保持させる保持機構が設けられていること、
を特徴とするフード。
【請求項５】
請求項１から請求項４までのいずれか１項に記載のフードにおいて、
前記可動部が回転する回転中心は、前記可動部の重心とは離れた位置であり、前記可動部が前記開口位置にあるとき、前記重心にかかる重力によって前記遮光位置方向へ回転する位置に設けられていること、
を特徴とするフード。
【請求項６】
請求項１から請求項５までのいずれか１項に記載のフードにおいて、
前記可動部が前記遮光位置にあるとき、前記可動部と前記遮光壁部とは、厚み方向で重なる重複部を有すること、
を特徴とするフード。
【請求項７】
請求項１から請求項６までのいずれか１項に記載のフードにおいて、
前記可動部は、複数設けられていること、
を特徴とするフード。
【請求項８】
請求項７に記載のフードにおいて、
前記可動部のうちの１つの回転に連動して、その他の前記可動部も回転するように設けられていること、
を特徴とするフード。
【請求項９】
請求項１から請求項８までのいずれか１項に記載のフードにおいて、
前記可動部には、前記遮光位置と前記開口位置との間で前記可動部を回転させる回転操作に用いる操作補助部が設けられていること、
を特徴とするフード。
【請求項１０】
請求項１から請求項９までのいずれか１項に記載のフードを備えた交換レンズ。
【請求項１１】
請求項１から請求項９までのいずれか１項に記載のフードを備えた光学機器。
【発明の詳細な説明】
【技術分野】
【０００１】
本発明は、光学系に対する不要光を遮るフード、交換レンズ、光学機器に関するものである。
【背景技術】
【０００２】
従来、フードは、カメラのレンズ鏡筒等の被写体側先端に設けられ、フレア等の要因となる画角外からの光線がレンズに入射することを防ぐ目的や、結像の妨げとなる雨滴やゴミ、埃等がレンズの表面に付着することを防止する目的で用いられている。
スキー等の野外スポーツの撮影等にこのフードを用いる場合に、撮影中の降雪によって、フードの被写体側の開口部から雪が吹き込む等して、フードの内周面に雪が堆積することがある。
フードの内周面に雪が堆積すると、不要な光が雪によって反射されて光学系に達する等してフードの遮光効果を減少させたり、堆積した雪によって有効光線が遮られたりする等して、撮影結果に影響が出るという問題があった。
【０００３】
フードの内周面に堆積する雪を排除する方法として、撮影者が手や器具等でフードの内周面から雪をかき出して排除する方法がある。しかし、この方法では、かき出す際に雪が押さえ付けられる等して、フードの内周面に遮光効果のために設けられた遮光線の溝や植毛の間等に、雪が詰まって残る場合がある。その場合、フード内に残った雪によって、本来は遮光される光線がフードの内周面で反射して、撮影に影響を与えるという問題があった。
また、フードをレンズ鏡筒等から外し、フードの被写体側の開口部を下に向けたり、フードを装着したまま、カメラごとフードの開口部を下に向けたりすることで、雪を落として排除する方法等がある。しかし、その場合、その操作を行う間、撮影を中断しなければならないという問題があった。
【０００４】
特許文献１では、フードの内側に空気の噴射口を設け、圧縮空気をレンズ面に吹きつけ前方に押し出すことにより、水滴等がフード内に進入してレンズ表面に付着することを防止する手法が開示されている。
しかし、特許文献１に示す方法では、圧縮空気を送り出すコンプレッサーや高圧ガスボンベや、それらとフードを繋ぐパイプやホース等が必要になり、機材が大型化して撮影の邪魔になるという問題があった。
【特許文献１】実用新案登録第３０４２１９９号公報
【発明の開示】
【発明が解決しようとする課題】
【０００５】
本発明の課題は、内周側に堆積した雪等の堆積物を容易に排除できるフード、交換レンズ、光学機器を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、光学系を有する光学部材に用いられるフードであって、前記光学系の光軸（Ｏ）まわりに設けられ、前記光学系に対する不要光を遮る遮光壁部（２，１２，２２，３２，４２，５２）と、前記遮光壁部を貫通する開口部（２ｆ，１２ｆ，２２ｆ，３２ｆ，４２ｆ，５２ｆ）と、前記遮光壁部に対して回転可能に取り付けられ、前記開口部を塞ぐ遮光位置と、前記開口部を開口させる開口位置との間で回転可能な可動部（３，１３，２３，３３，４３，５３，５４）と、を備えること、を特徴とするフード（１，１１，２１，３１，４１，５１）である。
請求項２の発明は、請求項１に記載のフードにおいて、前記開口部（２ｆ，１２ｆ，２２ｆ，３２ｆ，４２ｆ，５２ｆ）は、使用状態において、前記遮光壁部（２，１２，２２，３２，４２，５２）の下方に配置可能であること、を特徴とするフード（１，１１，２１，３１，４１，５１）である。
請求項３の発明は、請求項１又は請求項２に記載のフードにおいて、前記可動部（３，１３，２３，３３）が回転する回転中心（３ａ，１３ａ，２３ａ，３３ａ）は、光軸（Ｏ）に対して平行であること、を特徴とするフード（１，１１，２１，３１）である。
請求項４の発明は、請求項１から請求項３までのいずれか１項に記載のフードにおいて、前記可動部（３，１３，２３，３３，４３，５３，５４）を前記遮光位置に保持させる保持機構（３ｅ，３２ｅ，４３ｅ，５３ｅ，５４ｅ）が設けられていること、を特徴とするフード（１，１１，２１，３１，４１，５１）である。
請求項５の発明は、請求項１から請求項４までのいずれか１項に記載のフードにおいて、前記可動部（１３，２３）が回転する回転中心（１３ａ，２３ａ）は、前記可動部の重心とは離れた位置であり、前記可動部が前記開口位置にあるとき、前記重心にかかる重力によって前記遮光位置方向へ回転する位置に設けられていること、を特徴とするフード（１１，２１）である。
請求項６の発明は、請求項１から請求項５までのいずれか１項に記載のフードにおいて、前記可動部（３，１３，２３，３３，４３，５３，５４）が前記遮光位置にあるとき、前記可動部と前記遮光壁部（２，１２，２２，３２，４２，５２）とは、厚み方向で重なる重複部（２ｃ，２ｄ，３ｃ，３ｄ，３２ｃ，３３ｃ，４２ｃ，４２ｄ，４３ｃ，４３ｄ，５２ｃ，５２ｄ，５３ｃ，５４ｄ）を有すること、を特徴とするフード（１，１１，２１，３１，４１，５１）である。
請求項７の発明は、請求項１から請求項６までのいずれか１項に記載のフードにおいて、前記可動部（５３，５４）は、複数設けられていること、を特徴とするフード（５１）である。
請求項８の発明は、請求項７に記載のフードにおいて、前記可動部のうちの１つの回転に連動して、その他の前記可動部も回転するように設けられていること、を特徴とするフードである。
請求項９の発明は、前記可動部（３３）には、前記遮光位置と前記開口位置との間で前記可動部を回転させる回転操作に用いる操作補助部（３３ｆ）が設けられていること、を特徴とするフード（３１）である。
請求項１０の発明は、請求項１から請求項９までのいずれか１項に記載のフード（１，１１，２１，３１，４１，５１）を備えた交換レンズ（１００）である。
請求項１１の発明は、請求項１から請求項９までのいずれか１項に記載のフードを備えた光学機器である。
なお、符号を付して説明した構成は、適宜改良してもよく、また、少なくとも一部を他の構成物に代替してもよい。
【発明の効果】
【０００７】
本発明によれば、内周側に堆積した雪等の堆積物を容易に排除できるフード、交換レンズ、光学機器を提供できる。
【発明を実施するための最良の形態】
【０００８】
以下、図面等を参照しながら、本発明の実施形態を挙げて、さらに詳しく説明する。なお、以下に示す各実施形態では、一眼レフカメラ等の交換レンズに用いられるフードを例にとって説明している。
【０００９】
（第１実施形態）
図１は、第１実施形態のフード１及び交換レンズ１００を示す図である。なお、図１では、説明のため、フード１は、交換レンズ１００の光軸Ｏを含む鉛直方向での断面を示している。
交換レンズ１００は、不図示のカメラボディに着脱可能なレンズ鏡筒である。交換レンズ１００は、マウント部１００ａ、装着溝１００ｂ等を有している。
マウント部１００ａは、交換レンズ１００の像側に設けられ、交換レンズ１００をカメラボディに装着する部分である。
装着溝１００ｂは、フード１を交換レンズ１００に装着する部分である。装着溝１００ｂは、交換レンズ１００の被写体側の先端付近の外周部に設けられ、内径側に凹んだ溝形状である。なお、装着溝１００ｂの溝の底面よりも像側に形成された壁部１００ｄの外径は、装着溝１００ｂの底面及び交換レンズ１００の先端部１００ｃの外径よりも大きく形成されている。
【００１０】
フード１は、略円筒形状であって、その両端部が開口された中空の部材であり、フード本体部２、フード回転部３、緩衝部材４、固定ノブ５等を有している。フード１は、一方の端部が交換レンズ１００の装着溝１００ｂに装着され、交換レンズ１００内に設けられた不図示のレンズ群に不要な光が入ることを防ぐ遮光部材として用いられる。
フード１の内周面には、不図示の遮光溝や植毛等が施され、不要な光線を遮光する機能を果たしている。
【００１１】
図２は、第１実施形態のフード１の断面図である。
図３は、第１実施形態のフード１を図２中の矢印Ａ方向から見た図である。
図４は、第１実施形態のフード１を図２に示す矢印ＢＢで切断した断面図である。
図２では、図１と同様に、交換レンズ１００の光軸Ｏを含む鉛直方向での断面を示している。また、特に断りのない場合、以下に示す各図中における上下方向は、フードの使用状態における上下方向に等しいものとする。
フード本体部２及びフード回転部３の詳細な形状等については後述する。
【００１２】
緩衝部材４は、フード１の被写体側及び交換レンズ１００側（像側）の先端部に、全周にわたって設けられ、フード１の先端部にかかる衝撃を緩和してフードの破損を防止したり、使用者がフード１の端部に触れたときの感触を良好にしたりする機能を有する。
固定ノブ５は、外周部分に形成されたねじ部５ａを有し、フード本体部２の交換レンズ１００側（像側）に設けられた本体側ねじ部２ｇと螺合している。固定ノブ５は、回転することにより、フード本体部２に対して光軸Ｏに直交する方向に移動可能である。
【００１３】
図３に示すように、フード本体部２の像側の内周部分には、複数のコマ２ｂが形成されている。このコマ２ｂは、フード１の内側へ、光軸Ｏと直交する方向に突出した形状に形成されている。本実施形態では、コマ２ｂの内周側の先端面で形成される内接円の中心が、フード１の径の中心とは離れた位置になるように、コマ２ｂの内側への突出量は、異なって形成されている。
コマ２ｂの先端面で形成される内接円の径は、交換レンズ１００の被写体側先端部１００ｃの外径及び装着溝１００ｂの底面での外径よりも大きいが、装着溝１００ｂより像側の壁部１００ｄの外径よりも小さくなるように形成されている。そのため、フード１は、交換レンズ１００の被写体側先端部分を覆うように装着可能であり、コマ２ｂが装着溝１００ｂの像側の壁部１００ｄと当接することにより、フード１と交換レンズ１００との光軸Ｏ方向での位置が決められる。
【００１４】
フード１の像側に交換レンズ１００の被写体側先端部分を挿入して光軸方向の位置を決めた後に、固定ノブ５を回転させて固定ノブ５を光軸Ｏと直交する方向へ進める。フード１の内周側に突出した固定ノブ５の先端部分と、固定ノブ５に対向するコマ２ｂの先端面によって交換レンズ１００の装着溝１００ｂを締め付けることによって、フード１は、交換レンズ１００に固定される。
このとき、フード本体部２の像側外周部及び交換レンズ１００の被写体側外周部に設けられた不図示の合印等の位置決め部によって、撮影時におけるカメラの縦位置又は横位置に合わせて、フード１の交換レンズ１００に対する光軸Ｏ回りの回転方向の位置を決める。
位置決め部による位置決めによって、フード１が撮影等に使用されている使用状態では、カメラの縦位置、横位置に関わらず、開口部２ｆ及びフード回転部３は、フード本体部２の鉛直方向の下方となる位置にあり、軸３ａを通る直線は、光軸Ｏに平行であり、かつ、光軸Ｏを通る鉛直方向の平面内にあるように、フード１は、交換レンズ１００に装着される。
なお、フード１が交換レンズ１００に装着された使用状態では、交換レンズ１００の光軸Ｏと、フード１の内径の中心とが一致するように設けられている。
【００１５】
図２，図４に示すように、フード本体部２は、軸受け部２ａ、コマ２ｂ、本体部側重複部２ｃ，２ｄ、開口部２ｆ等を有する略円筒形状の部材である。
開口部２ｆは、フード本体部２の周面の一部を貫通して形成された部分である。この開口部２ｆは、前述のように、フード１を交換レンズ１００に装着して撮影等に使用される状態で、フード本体部２の鉛直方向の下方となる。
フード回転部３は、軸３ａ、回転部側重複部３ｃ，３ｄ、クリック部３ｅ等を有し、フード本体部２の外径及び内径と同一の曲率を有する板状の部材である。
軸３ａは、フード回転部３の被写体側の端部及び像側の端部それぞれの中央に、光軸方向に棒状に突出して形成された部分であり、フード本体部２の軸受け部２ａに支持されている。フード回転部３は、軸３ａを回転中心として、フード本体部２に対して回転可能に取り付けられている。なお、本実施形態では、軸３ａを通る直線は、フード回転部３の重心位置を通るように形成されている。
このフード回転部３は、開口部２ｆを塞ぐ遮光位置（図１，２，４に示す状態）と、開口部２ｆが開口される開口位置（図５に示す状態）との間で回転可能である。フード１は、フード回転部３が遮光位置にあるとき、略円筒形状となる。
【００１６】
開口部２ｆ及びフード回転部３は、光軸Ｏに直交する断面において、その周方向の両端部と光軸Ｏとを結んで形成される角度αが１８０°以下となるように形成されている。この角度αが大きいほうが、雪を排除する効果が高いが、角度αが１８０°を超えると、フード１の強度が低下して破損し易くなるためである。なお、この角度αは、その大きさを特に規定しないが、雪の排除し易さ、フード１の径及び強度等を考慮して適宜選択して形成すればよい。
【００１７】
図４に示すように、フード本体部２の開口部２ｆに面する周方向の端部には、本体部側重複部２ｃ，２ｄが形成されている。また、フード回転部３の周方向の端部には、回転部側重複部３ｃ，３ｄが形成されている。
本体部側重複部２ｃ，２ｄと回転部側重複部３ｃ，３ｄとは、フード回転部３が遮光位置にあるときに、フード１の厚み方向で重なる。本実施形態では、フード回転部３が遮光位置にあるとき、本体部側重複部２ｃを外周側としてその内周側に回転部側重複部３ｃが重なり、また、本体部側重複部２ｄを内周側としてその外周側に回転部側重複部３ｄが重なるように設けられている。
【００１８】
本体部側重複部２ｃ，２ｄと回転部側重複部３ｃ，３ｄとが上述のように設けられることにより、フード回転部３が遮光位置から開口位置に回転するとき、フード回転部３が軸３ａを中心として回転可能な方向は、矢印Ｔ１方向（図４において時計回りの方向）のみに規制される。よって、遮光位置にあるフード回転部３に、矢印Ｔ１の逆方向（反時計回りの方向）に回転させようとする外力が加わった場合にも、矢印Ｔ１の逆方向に回転することがない。
また、本体部側重複部２ｃ，２ｄ及び回転部側重複部３ｃ，３ｄを設けることにより、フード本体部２とフード回転部３との隙間から不要な外光が侵入することを防止できる。
【００１９】
フード回転部３は、回転部側重複部３ｃの外周側に、周方向に突出したクリック部３ｅを有している。フード本体部２には、フード回転部３が遮光位置にあるときにクリック部３ｅに対応する位置に不図示の凹形状が形成されている。開口位置にあるフード回転部３が遮光位置となるとき、フード回転部３及びフード本体部２が弾性によって撓み、凹形状にクリック部３ｅが嵌まる。これにより、フード回転部３が遮光位置で保持される。
また、フード回転部３が遮光位置にあるときには、クリック部３ｅが弾性によって撓んで凹形状から外れるために必要な所定の力よりも大きな力がかからなければ、フード回転部３は回転せず、開口位置へと移動しない。従って、フード回転部３が不用意に回転して光路に侵入し撮影に影響を与えることを防止できる。
フード回転部３は、例えば、撮影者が手でフード回転部３を突き上げる等して矢印Ｆ１方向に摩擦力よりも大きな外力を与えると、軸３ａを回転中心として矢印Ｔ１方向に回転して開口位置となり、開口部２ｆが開口される。
【００２０】
図５は、第１実施形態のフード１において、フード回転部３が開口位置にある状態を示す断面図である。
降雪時の撮影等でフード回転部３の内周面に雪が堆積した場合、フード回転部３を回転させて開口位置とすることにより、堆積した雪は、フード１の外部へ落下し、排除される。
雪を排除した後に、例えば、図５に示すように、フード回転部３の回転によってフード１の外周側に突出した部分に、矢印Ｆ２方向へ外力を加え続ける。フード回転部３は、矢印Ｔ２方向（反時計回り）に回転し、本体部側重複部２ｃと回転部側重複部３ｃ、本体部側重複部２ｄと回転部側重複部３ｄがそれぞれ当接した時点で停止して、図４に示すような遮光位置となる。このとき、フード回転部３は、クリック部３ｅが凹形状に嵌合して遮光位置に保持され、撮影者等が意図的にフード回転部３に矢印Ｔ１方向へ回転させるような外力を加えた場合等以外は、回転しない。従って、フード回転部３が不用意に回転して、光路に侵入し、撮影に影響を与えることを防止できる。
【００２１】
本実施形態によれば、フード回転部３を回転させて雪を排除し、再び遮光位置に戻すまでの動作の間、フード１の内周面に手等が触れることがない。従って、内周面に雪が押し付けられる事による遮光線や植毛への雪の目詰まりが発生することなく、容易に雪を排除できる。
また、撮影者が手袋を着用している等、細かな作業が行い難い状態でも、行うことが可能な、簡単な動作によって雪を排除可能である。
さらに、瞬時に雪を排除可能であるので、撮影を中断する必要がなく、撮影の妨げにならない。
なお、本実施形態において、フードの内周面に堆積する堆積物として雪を例として挙げて説明したが、これに限らず、例えば、砂や火山灰等が堆積した場合にも、雪と同様にして排除することができる。
【００２２】
（第１実施形態の変形形態１）
図６は、第１実施形態の変形形態１のフード１１において、フード回転部１３が遮光位置にある状態を示す断面図である。
図７は、第１実施形態の変形形態１のフード１１において、フード回転部１３が開口位置にある状態を示す断面図である。
なお、図６及び図７、以下に示す図８では、図２に示す矢印ＢＢでの断面と同様の断面を示している。
第１実施形態の変形形態１のフード１１は、フード回転部１３の回転中心の位置が第１実施形態のフード１とは異なる点以外は、第１実施形態のフード１と略同様の形態である。よって、第１実施形態と同様の機能を果たす部分には同一の符号、又は、末尾に同一の符号を付して、重複する説明を適宜省略する。なお、以下に示す、他の変形形態及び他の実施形態についても同様とする。
【００２３】
フード回転部１３は、開口部１２ｆが形成されたフード本体部１２に、軸１３ａを回転中心として回転可能に支持されている。軸１３ａは、フード回転部１３の周方向の中心よりも、一方の端部側に離れた位置に設けられている。本変形形態では、使用状態において、フード回転部１３の重心を通り光軸Ｏに平行な直線Ｇは、光軸Ｏの鉛直方向下方に位置し、軸１３ａを通り光軸Ｏに平行な直線は、フード回転部１３の重心を通り光軸に平行な直線Ｇに対してフード１の周方向にずれた位置に設けられている。
そのため、フード回転部１３は、図７に示す開口位置にあるとき、フード回転部１３の重心位置にかかる重力によって、軸１３ａを中心として、矢印Ｔ２方向（図７において、反時計回り）への回転力が発生する。この回転力によって、フード回転部１３は、矢印Ｔ２方向に回転して、図６に示す遮光位置に戻る。
よって、フード回転部１３は、撮影者が外力を加えることなく遮光位置に戻ることができる。また、フード回転部１３が、フード１１の内周側に留まり、光路に侵入したままになって、撮影に影響を与えることを防止できる。
【００２４】
（第１実施形態の変形形態２）
図８は、第１実施形態の変形形態２のフード２１において、フード回転部２３が開口位置にある状態を示す断面図である。
第１実施形態の変形形態２のフード２１では、軸２３ａは、第１実施形態のフード１と同じく光軸Ｏの鉛直方向の下方に配置されているが、フード回転部２３の重心を通り光軸Ｏに平行な直線Ｇとフード回転部２３の回転中心との位置が離れている。
【００２５】
フード回転部２３は、開口部２２ｆを有するフード本体部２２に、回転軸２３ａを回転中心として回転可能に支持されている。軸２３ａは、第１実施形態に示した軸３ａと同様に、フード１の使用状態では、光軸Ｏの鉛直方向の真下となるように配置されている。
しかし、軸２３ａを通り光軸Ｏと平行な直線（フード回転部２３の回転中心となる直線）と、フード回転部２３の重心を通り光軸Ｏに平行な直線Ｇとは、その位置がフード１の周方向に離れている。
フード回転部２３が、図８に示すように開口位置にあるとき、フード回転部２３の重心位置にかかる重力によって、矢印Ｔ２方向（図８において、反時計回り）への回転力が発生する。この回転力によって、フード回転部２３は、矢印Ｔ２方向に回転して遮光位置に戻る。
よって、フード回転部２３は、撮影者が外力を加えることなく遮光位置に戻ることができる。また、フード回転部２３が、フード２１の内周側に留まり、光路に侵入したままとなって撮影に影響を与えることを防止できる。
【００２６】
（第２実施形態）
図９は、第２実施形態のフード３１において、フード回転部３３が遮光位置にある状態を示す断面図である。
図１０は、第２実施形態のフード３１において、フード回転部３３が開口位置にある状態を示す断面図である。
なお、図９及び図１０は、図２に示す矢印ＢＢでの切断面に相当する面での断面を示している。
第２実施形態のフード３１は、軸３３ａがフード回転部３３の周方向の端部に設けられている点と、フード回転部３３に操作部３３ｆが設けられている点等以外は、第１実施形態と略同様の形態である。
【００２７】
軸３３ａは、フード回転部３３の周方向の一方の端部側であって、光軸Ｏ方向の両端面に設けられている。
フード回転部３３の軸３３ａが設けられた端部とは反対側の端部には、回転部側重複部３３ｃが形成され、フード回転部３３が遮光位置にあるときには、フード本体部３２に形成された本体部側重複部３２ｃと厚さ方向で重なる。本実施形態では、フード回転部３３が遮光位置にあるとき、回転部側重複部３３ｃが外周側、本体部側重複部３２ｃが内周側となって重なるように形成されている。そのため、本実施形態では、フード回転部３３は、遮光位置から開口位置へ回転するときには、軸３３ａを回転中心として、矢印Ｔ２方向（反時計回り）にのみに回転可能である。
【００２８】
フード本体部３２の本体部側重複部３２ｃよりも外周側には、周方向に突出したクリック部３２ｅが形成されている。クリック部３２ｅは、フード回転部３３が遮光位置にあるときに、フード回転部３３に形成された不図示の凹形状と嵌合することによって、フード回転部３３を遮光位置に保持する機能を有する。
フード回転部３３の回転部側重複部３３ｃ側、つまり、軸３３ａとは反対側の端部付近の外周部には、操作部３３ｆが設けられている。
本実施形態では、操作部３３ｆは、紐状の部材によって輪形状に形成されているが、操作部３３ｆとしては、撮影者が掴み易い等、フード回転部３３を操作し易い形状であれば、その材質や形状は特に限定しない。
【００２９】
フード回転部３３の内周面に雪等が堆積した場合、撮影者が、図９に示すような遮光位置にあるフード回転部３３の操作部３３ｆを矢印Ｆ３方向に引き下げると、フード回転部３３は、軸３３ａを回転中心として矢印Ｔ２方向に回転し、図１０に示すような開口位置となる。フード回転部３３の内周面等に堆積していた雪等の堆積物は、開口部３２ｆからフード３１の外部に落下し、容易に排除される。
雪等の堆積物を排除した後に、フード回転部３３に矢印Ｆ４方向の力を加え続けると、フード回転部３３は、軸３３ａを回転中心として、矢印Ｔ１方向に回転し、遮光位置で停止する。
クリック部３２ｅとフード回転部３３の凹形状との嵌め合いにより、フード回転部３３は、遮光位置に保持され、不用意な回転によって撮影を妨げることはない。
【００３０】
本実施形態によれば、操作部３３ｆが設けられているので、フード回転部３３を開口位置と遮光位置との間で回転移動させる動作が容易に行える。
また、軸３３ａをフード回転部３３の周方向の端部に配置することにより、フード回転部３３が、軸３３ａを回転中心として回転する角度を広くとることができるので、雪等の堆積物を落下し易くでき、より効率よく排除できる。
さらに、フード回転部３３が開口位置にあるとき、フード回転部３３の内周面がフード３１の外部に向くので、雪等の堆積物が落下し易く、回転によってフード３１内に堆積物を飛ばすことなく容易に排除できる。
さらにまた、フード回転部３３は、遮光位置から軸３３ａを中心としてフード３１の外周側へと回転して開口位置となるので、雪等の堆積物を排除する動作の間、光路を遮ることがなく、遮光位置へ戻し忘れた場合にも、撮影に与える影響が小さい。
【００３１】
（第３実施形態）
図１１は、第３実施形態のフード４１の光軸Ｏを含む鉛直方向での断面図である。
図１２は、第３実施形態のフード４１を図１１に示す矢印ＣＣで切断した断面図である。
なお、図１１及び図１２は、フード回転部４３が遮光位置にある状態を示している。
本実施形態のフード４１は、第１実施形態のフード１と略同様の形態であるが、フード回転部４３の回転中心が光軸Ｏと直交する点等が異なる。
【００３２】
フード本体部４２は、軸受け部４２ａ、本体側重複部４２ｃ，４２ｄ等を有する。軸受け部４２ａは、後述するフード回転部４３の軸４３ａを支持する部分であり、フード本体部４２の開口部４２ｆに面した周方向の端部であって、開口部４２ｆの光軸方向の幅の中央となる位置に設けられている。
フード回転部４３は、軸４３ａ，回転部側重複部４３ｃ，４３ｄ、クリック部４３ｅ等を有する。軸４３ａは、フード回転部４３の周方向の両端面の中央に設けられている。フード回転部４３は、フード本体部４２に対して軸４３ａを回転中心として回転可能に取り付けられている。本実施形態では、軸４３ａを通る直線は、フード回転部４３の重心位置を通り、光軸Ｏに垂直である。
【００３３】
本体部側重複部４２ｃは、フード本体部４２の開口部４２ｆの被写体側に、周方向に沿って設けられ、フード回転部４３が遮光位置にあるときに、回転部側重複部４３ｃと厚み方向に重なる。同様に、本体部側重複部４２ｄは、フード本体部４２の開口部４２ｆの像側に、周方向に沿って設けられ、フード回転部４３が遮光位置にあるときに、回転部側重複部４３ｄと厚み方向で重なる。
本実施形態では、被写体側は、本体部側重複部４２ｃが内周側、回転部側重複部４３ｃが外周側となって重なり、像側は、本体部側重複部４２ｄが外周側、回転部側重複部４３ｄが内周側となって重なるように設けられている。そのため、フード回転部４３は、遮光位置から開口位置へと回転するとき、軸４３ａを回転中心として、矢印Ｔ２方向（フード回転部４３の被写体側が下方に下がる方向）にのみ回転可能であり、矢印Ｔ３方向（フード回転部４３の被写体側が上方に上がる方向）には回転しないように規制されている。
【００３４】
また、フード回転部４３は、回転部側重複部４３ｃの被写体側の端部に、被写体側に突出した形状のクリック部４３ｅを有している。このクリック部４３ｅは、フード本体部４２に形成された不図示の凹形状と嵌め合うことによって、不用意にフード回転部４３が回転しないようにフード回転部４３を遮光位置に保持する機能を有する。
【００３５】
図１３は、第３実施形態のフード４１において、フード回転部４３が開口位置にある状態を示す断面図である。
フード回転部４３が図１１に示すような遮光位置にあるとき、例えば、撮影者が手で突き上げる等して、フード回転部４３の軸４３ａよりも像側に、矢印Ｆ５方向に外力を加える。すると、フード回転部４３は、軸４３ａを回転中心として、矢印Ｔ２方向に回転して、図１３に示すような開口位置となる。
このとき、フード回転部４３の内周面等に堆積していた雪等は、フード４１の外部へと落下し、排除される。
雪等の堆積物を排除した後に、撮影者が、フード回転部４３に矢印Ｆ６方向への外力を加え続けると、フード回転部４３は、軸４３ａを回転中心として、矢印Ｔ１方向に回転する。フード回転部４３は、本体部側重複部４２ｃ，４２ｄと回転部側重複部４３ｃ，４３ｄとがそれぞれ当接した時点で回転が停止し、遮光位置となる。このとき、クリック部４３ｅとフード本体部４２の凹形状とが嵌め合うことによって、フード回転部４３は、遮光位置に保持される。
【００３６】
本実施形態によれば、雪等の堆積物を排除する動作の間、フード回転部４３の内周面に手等が触れることがないので、雪等を内周面に押し付けることがない。従って、フードの内周面に設けられた遮光線や植毛等に、雪等の堆積物が目詰まりすることなく、容易に排除できる。
また、クリック部４３ｅが設けられているので、フード回転部４３が不用意に回転して光路に侵入し、撮影に影響を与えることがない。
【００３７】
（第３実施形態の変形形態）
図１４は、第３実施形態の変形形態のフード５１において、フード回転部５３，５４が遮光位置にある状態を示す断面図である。
図１５は、第３実施形態の変形形態のフード５１において、フード回転部５３，５４が開口位置にある状態を示す断面図である。
なお、図１４及び図１５では、図１１に示したものと同様にフード５１の光軸Ｏを含む鉛直方向の断面を示している。
本変形形態は、第３の実施形態と略同様の形態であるが、フード回転部が複数設けられている点において異なる。
【００３８】
フード回転部５３，５４は、開口部５２ｆに、光軸Ｏ方向に並べて配置され、それぞれ、軸５３ａ，５４ａを有し、フード本体部５２に対して回転可能に支持されている。
フード回転部５３は、フード回転部５４より被写体側に設けられ、遮光位置にあるときに、本体部側重複部５２ｃと重なる回転部側重複部５３ｃが被写体側端部に形成されている。回転部側重複部５３ｃの被写体側端部には、遮光位置においてフード本体部５２の不図示の凹形状と嵌合するクリック５３ｅが形成されている。
フード回転部５４は、フード回転部５３より像側に設けられ、遮光位置にあるときに、本体部側重複部５２ｄと重なる回転部側重複部５４ｄが像側端部に周方向に形成されている。
フード回転部５３，５４は、それぞれ、接続重複部５３ｇ，５４ｇ有している。接続重複部５３ｇ，５４ｇは、フード回転部５３，５４がともに遮光位置にあるときに、厚み方向に重なる部分であり、本実施形態では、接続重複部５３ｇが内周側、接続重複部５４ｇが外周側となって重なるように設けられている。
接続重複部５４ｇの被写体側には、被写体側に突出した形状のクリック部５４ｅが形成され、フード回転部５３の像側には、不図示の凹形状が形成されており、フード回転部５３，５４がともに遮光位置にあるとき、クリック部５４ｅと凹形状とが嵌合している。
フード回転部５３，５４は、クリック部５３ｅとフード本体部５２の凹形状、フード回転部５３の凹形状とクリック部５４ｅがそれぞれ嵌め合うことによって、遮光位置が保持され、不用意な回転が生じないように規制されている。
【００３９】
フード５１の内周面に堆積した雪等を排除するとき、撮影者は、フード回転部５３，５４に、図１４に示す矢印Ｆ７，Ｆ８方向への外力を与える。フード回転部５３、５４は、軸５３ａ，５４ａを中心として、矢印Ｔ２方向に回転して、ともに開口位置となる。このとき、フード回転部５３，５４の内周面に堆積した雪等の堆積物は、開口部５２ｆからフード５１の外部へと落下し、排除される。
雪等を排除した後に、フード回転部５３，５４に図１５に示す矢印Ｆ９，Ｆ１０方向への外力を加え続けると、フード回転部５３，５４は、軸５３ａ，５４ａを中心として矢印Ｔ１方向に回転し、本体部側重複部５２ｃと回転部側重複部５３ｃ、本体部側重複部５２ｄと回転部側重複部５４ｄがそれぞれ当接した時点で回転は停止して遮光位置となる。またこのとき、接続重複部５３ｇ，５４ｇも重なる。
フード回転部５３，５４は、クリック部５３ｅとフード本体部５２の凹形状、クリック部５４ｅとフード回転部５３の凹形状が嵌合することにより、遮光位置に保持され、不用意に回転することがない。
【００４０】
本変形形態によれば、仮に、雪等の堆積物を排除したい領域に１枚のフード回転部を設けた場合には、フード回転部の光軸方向の寸法が長すぎて、回転させるとフード本体部の内周面に当接して雪等の堆積物の排除が可能な位置にまで回転できないようなときにも、複数のフード回転部を設けることにより、堆積物の排除が可能な位置までフード回転部を回転させることができる。
また、本変形形態によれば、フード回転部を複数設けた場合にも、各フード回転部の内周面に手を触れることなく、雪等の堆積物を排除可能であり、遮光線や植毛等に雪等が目詰まりすることなく、容易に排除できる。
さらに、フード５１の被写体側に設けられたフード回転部５３のみを開口位置へと回転させて雪等の堆積物を排除することもでき、雪等の吹込みが少ない場合等、堆積した状況によってフード回転部５３，５４の双方もしくはフード回転部５３のみを適宜選択して回転させることができる。
【００４１】
（変形形態）
以上説明した実施形態に限定されることなく、種々の変形や変更が可能であって、それらも本発明の均等の範囲内である。
（１）第１及び第２実施形態では、フード回転部は、１つだけ設けられる例を示したが、これに限らず、例えば、フードの周方向に並べて複数設けてもよい。
また、第３実施形態の変形形態を含め、フード回転部を複数設ける場合には、フード回転部の１つを操作することで他のフード回転部も連動して回転する構成にして、操作性を向上させてもよい。
【００４２】
（２）各実施形態において、フード回転部を遮光位置に保持する機構として、クリック部と、クリック部と嵌合する凹形状が設けられる例を示したが、これに限らず、凹形状を設けなくともよいし、他の機構を用いてもよい。例えば、フード回転部を遮光位置から開口位置へと回転させるときに強い回転力を必要とするような回転を規制する機構を設けてもよい。また、フード回転部を開口位置へと回転させるときに、開口位置へと回転する方向とは逆方向へのトルクが発生するねじりバネ等の機構を設けて、開口位置へと回転する力がフード回転部から除かれたときに、自動で遮光位置へと復帰できるようにしてもよい。
【００４３】
（３）第１及び第２の実施形態において、本体部側重複部、回転部側重複部は、それぞれ、フード本体部の開口部側の周方向の端部、フード回転部の周方向の端部に設けられる例を示し、第３実施形態において、本体部側重複部、回転部側重複部は、それぞれ、フード本体部の開口部側の光軸方向の端部、フード回転部の光軸方向の端部に設けられる例を示しているが、これに限らず、本体部側重複部及び回転部側重複部は、フード回転部の開口位置への回転移動を規制しない位置であるならば、フード本体部とフード回転部とが隣接する部分に適宜設けてもよい。
【００４４】
（４）第３実施形態において、フード回転部の回転中心となる直線は、フード回転部の重心位置を通る例を示したが、これに限らず、第１実施形態の各変形形態に示すように、回転中心と重心位置とが離れていてもよい。
【００４５】
（５）各実施形態において、フードは、固定ノブとコマによる締め付けによって、交換レンズに装着される例を示したが、これに限らず、ねじ込み式、バヨネット式等、他の機構を用いて装着してもよい。
【００４６】
（６）各実施形態において、開口部及びフード回転部は、フードの光軸方向の略全長にわたって形成される例を示したが、これに限らず、雪が堆積し易い部分に設けられればよく、開口部及びフード回転部の光軸方向の寸法を短くしてフードの被写体側に形成してもよいし、フードの被写体側の最先端部も開口部としてもよい。
【００４７】
（７）各実施形態において、フードは、交換レンズに装着可能である例を示したが、これに限らず、例えば、交換レンズやカメラのレンズ鏡筒等と一体となって形成されたフードとしてもよい。
【００４８】
（８）各実施形態において、フードは、交換レンズに装着される例を示したが、これに限らず、例えば、カメラに装着してもよいし、フィールドスコープ等の望遠鏡、双眼鏡等に装着して用いてもよい。
【図面の簡単な説明】
【００４９】
【図１】第１実施形態のフード１及び交換レンズ１００を示す図である。
【図２】第１実施形態のフード１の断面図である。
【図３】第１実施形態のフード１を図２中の矢印Ａ方向から見た図である。
【図４】第１実施形態のフード１を図２に示す矢印ＢＢで切断した断面図である。
【図５】第１実施形態のフード１において、フード回転部３が開口位置にある状態を示す断面図である。
【図６】第１実施形態の変形形態１のフード１１において、フード回転部１３が遮光位置にある状態を示す断面図である。
【図７】第１実施形態の変形形態１のフード１１において、フード回転部１３が開口位置にある状態を示す断面図である。
【図８】第１実施形態の変形形態２のフード２１において、フード回転部２３が開口位置にある状態を示す断面図である。
【図９】第２実施形態のフード３１において、フード回転部３３が遮光位置にある状態を示す断面図である。
【図１０】第２実施形態のフード３１において、フード回転部３３が開口位置にある状態を示す断面図である。
【図１１】第３実施形態のフード４１の光軸Ｏを含む鉛直方向での断面図である。
【図１２】第３実施形態のフード４１を図１１に示す矢印ＣＣで切断した断面図である。
【図１３】第３実施形態のフード４１において、フード回転部４３が開口位置にある状態を示す断面図である。
【図１４】第３実施形態の変形形態のフード５１において、フード回転部５３，５４が遮光位置にある状態を示す断面図である。
【図１５】第３実施形態の変形形態のフード５１において、フード回転部５３，５４が開口位置にある状態を示す断面図である。
【符号の説明】
【００５０】
１，１１，２１，３１，４１，５１：フード、２，１２，２２，３２，４２，５２：フード本体部、２ｆ，１２ｆ，２２ｆ，３２ｆ，４２ｆ，５２ｆ：開口部、２ｃ，２ｄ，３２ｃ，３２ｃ，４２ｃ，４２ｄ，５２ｃ，５２ｄ：本体部側重複部、３，１３，２３，３３，４３，５３，５４：フード回転部、３ａ，１３ａ，２３ａ，３３ａ，４３ａ，５３ａ，５４ａ：軸、３ｃ，３ｄ，３３ｃ，４３ｃ，４３ｄ，５３ｃ，５４ｄ：回転部側重複部、３ｅ，３２ｅ，４３ｅ，５３ｅ，５４ｅ：クリック部、３３ｆ：操作部、１００：レンズ鏡筒、Ｏ：光軸
【図１】
2007328041.tif 000003
【図２】
2007328041.tif 000004
【図３】
2007328041.tif 000005
【図４】
2007328041.tif 000006
【図５】
2007328041.tif 000007
【図６】
2007328041.tif 000008
【図７】
2007328041.tif 000009
【図８】
2007328041.tif 000010
【図９】
2007328041.tif 000011
【図１０】
2007328041.tif 000012
【図１１】
2007328041.tif 000013
【図１２】
2007328041.tif 000014
【図１３】
2007328041.tif 000015
【図１４】
2007328041.tif 000016
【図１５】
2007328041.tif 000017